(57)【要約】【課題】  カード搬送装置において、カードの搬送不良を抑制する。【解決手段】  カード搬送路１４を形成する対向壁４，１０の対向面４ａ，１０ａには、カード搬送方向に延びるリブ４ｂ，１０ｂが設けられている。また、カード搬送路１４中を搬送されるカード１３の下端を支承するカード支承部材２０の支承面２３には、カード搬送方向に連続する凸部と凹部とが設けられており、凸部は断面が円形に形成されている。カード支承部材２０はカード搬送路１４に着脱自在に取り付けられている。【選択図】  図２
2011032005.tif 000002
【特許請求の範囲】
【請求項１】
カードを挿入するカード挿入口と、このカード挿入口から挿入されたカードを幅方向または長さ方向が鉛直方向を指向するように搬送するカード搬送路とを備え、
前記カード搬送路のカードを支承するカード支承面に、カードの搬送方向に向かって凸部と凹部とを交互に設け、前記凸部を断面半円状に形成したことを特徴とするカード搬送装置。
【請求項２】
前記カード搬送路に、搬送されるカードのカード面に対向する対向壁を設け、この対向壁にカード搬送方向に延びるリブを設けたことを特徴とする請求項１記載のカード搬送装置。
【請求項３】
前記支承面が形成されたカード支承部材を前記カード搬送路に対して着脱自在としたことを特徴とする請求項１または２記載のカード搬送装置。
【発明の詳細な説明】
【技術分野】
【０００１】
本発明は、幅方向または長さ方向が鉛直方向を指向するようにカードを搬送させるカード搬送装置に関するものである。
【背景技術】
【０００２】
一般的なカード搬送装置は、カードの挿入が容易であるという理由によって、カードの面を鉛直方向に指向した状態でカードをカード挿入口に挿入し、その状態を維持したままカード送路内を搬送させるように構成している。したがって、このような構成のカード搬送装置では、カードの幅方向が水平方向を指向するため、鉛直方向の外形よりも水平方向の外形が相対的に大きくなる。これに対して、カード搬送装置を設置するスペースとして、鉛直方向に対して水平方向のスペースが小さい場合は、カードの幅方向が鉛直方向を指向するようにカードを搬送させる構造としたカード搬送装置を採用することがある。
【発明の概要】
【発明が解決しようとする課題】
【０００３】
上述したようなカード搬送装置においては、カードの下端面を支承するカード支承面が備えられており、このカード支承面が平坦状に形成されていることにより、搬送されるカードの下端面とカード支承面とが面接触になるため、カードの搬送に対する負荷が大きい。また、カード処理通路内でカードを搬送しているときに、カードの下端面が摺接することにより、カード支承面にカードの汚れが付着する。この汚れはカード支承面が平坦状に形成されていることにより、カード支承面に堆積しやすく、堆積することにより、カードとの間の摩擦力が増大するため、カードの搬送に対する負荷がより大きくなり、カードの搬送不良を引き起こす原因となっていた。
【０００４】
本発明は上記した従来の問題に鑑みなされたものであり、その目的とするところは、カードの搬送不良を抑制するところにある。
【課題を解決するための手段】
【０００５】
この目的を達成するために、本発明は、カードを挿入するカード挿入口と、このカード挿入口から挿入されたカードを幅方向または長さ方向が鉛直方向を指向するように搬送するカード搬送路とを備え、前記カード搬送路のカードを支承するカード支承面に、カードの搬送方向に向かって凸部と凹部とを交互に設け、前記凸部を断面半円状に形成したものである。
【０００６】
本発明は、前記発明において、前記カード搬送路に、搬送されるカードのカード面に対向する対向壁を設け、この対向壁にカード搬送方向に延びるリブを設けたものである。
【０００７】
本発明は、前記発明のいずれか一つの発明において、前記カード支承面が形成されたカード支承部材を前記カード搬送路に対して着脱自在としたものである。
【発明の効果】
【０００８】
本発明によれば、カード搬送時にカードの汚れがカード支承面に付着したとしても、カード支承面に、カードの搬送方向に向かって凸部と凹部とが交互に設けられていることにより、汚れが凹部に溜まる。このため、凸部に対接しているカードに対しては、汚れによる搬送負荷が発生しないから搬送不良を抑制することができる。また、凸部を断面半円状に形成したことにより、搬送されるカードの端面と凸部とが線接触となるため、カードに対する搬送負荷がより軽減される。
【０００９】
前記発明のうちの一つの発明によれば、搬送されるカードのカード面とカード搬送路のカード対向壁との間が線接触となるため、カードに対する搬送負荷がより軽減される。
【００１０】
前記発明のうちの一つの発明によれば、必要に応じてカード支承部材を交換することができるため、カード支承面に堆積する汚れによるカード搬送不良を未然に防止することが可能になる。
【図面の簡単な説明】
【００１１】
【図１】本発明に係るカード搬送装置の正面図である。
【図２】図１におけるII-II 線断面図である。
【図３】本発明に係るカード搬送装置において、フロントカバーを取り外した状態の正面図である。
【図４】図３におけるIV-IV 線断面図である。
【図５】同図（Ａ）は図４におけるＶ矢視図、同図（Ｂ）は同図（Ａ）におけるＶ（Ｂ）部の拡大図である。
【図６】本発明に係るカード搬送装置において、カード支承部材の交換動作を説明するための要部を示す正面図である。
【図７】本発明に係るカード搬送装置において、カード支承部材の交換動作を説明するための要部を示す背面図である。
【発明を実施するための形態】
【００１２】
以下、本発明の実施の形態を図１ないし図７に基づいて説明する。図１および図２に全体を符号１で示すカード搬送装置は、略平板状に形成されたベース部材２と、略箱状に形成されたカバー部材３とを備えている。ベース部材２は、図３に示すように対向面４ａに矢印Ａ−Ｂ方向に延びる複数条のリブ４ｂが突設された対向壁４を備え、この対向壁４の下端部（矢印Ｄ方向側端部）には、互いに対向する上下のガイド部５ａ，５ｂを有する凹部５が設けられており、下方のガイド部５ｂには図５に示すように係合孔５ｃが形成されている。また、凹部５の底面（矢印Ｃ−Ｄ方向に延在する面）には、後述するガイドリブ２１ｂが嵌合するガイド溝５ｄが矢印Ａ−Ｂ方向に延在するように設けられている。図３において、６は対向壁４に形成した窓（図示せず）から後述するカード搬送路１４に臨む駆動ローラであって、図示を省略したモータの駆動によって、正・逆方向に回転する。
【００１３】
カバー部材３は、図２に示すように対向面１０ａに矢印Ａ−Ｂ方向に延びる複数条のリブ１０ｂが突設された対向壁１０を備え、下端部には上記した上下のガイド部５ａ，５ｂによって矢印Ａ−Ｂ方向に案内される後述するカード支承部材２０の矢印Ｅ−Ｆ方向の移動を規制する規制部１０ｃが形成されている。図１において、１１は対向壁１０に形成した窓（図示せず）からカード搬送路１４に臨み駆動ローラ６に対接されるピンチローラであって、駆動ローラ６とともにカード１３を挟持した状態で矢印Ａ−Ｂ方向に搬送する。
【００１４】
このカバー部材３を、対向壁１０が対向壁４に対向するようにベース部材２に取り付けることにより、対向壁４，１０との間にカード１３を矢印Ａ−Ｂ方向へ搬送するカード搬送路１４が形成され、このカード搬送路１４の矢印Ｂ方向の端部には、このカード搬送路１４に連通するカード挿入口１５が設けられている。
【００１５】
カード支承部材２０は、図２に示すように垂直部２１と水平部２２とによって断面Ｌ字状に形成されているとともに、矢印Ａ−Ｂ方向においてカード搬送路１４と同じ長さに形成されている。垂直部２１の矢印Ｅ方向の端面には、二条のリブ２１ａが矢印Ａ−Ｂ方向に延在するように突設されており、矢印Ｆ方向の端面には、二条のガイドリブ２１ｂが矢印Ａ−Ｂ方向に延在するように突設されている。水平部２２の背面側の下端には、図７に示すように矢印Ｂ方向の端部から矢印Ａ方向に延びる弾性係合片２２ａが設けられており、この弾性係合２２ａの先端部には、ベース部材２の係合孔５ｃに係合する爪２２ｂが形成されている。水平部２２の上面に形成されたカード支承面２３には、図５（Ｂ）に示すようにカード１３の搬送方向（矢印Ａ−Ｂ方向）に向かって連続する凸部２３ａおよび凹部２３ｂとが交互に設けられており、凸部２３ａは断面半円状に形成されている。
【００１６】
このカード支承部材２０は、図２に示すようにガイドリブ２１ｂをガイド溝５ｄに嵌合させた状態で、図６に示すようにカード搬送装置１の矢印Ｂ方向側から、ベース部材２の上下のガイド部５ａ，５ｂとカバー部材３の規制部１０ｃとの間を、矢印Ａ方向に嵌挿させる。図７に示すように、弾性係合片２２ａを弾性変形させながら、図５に示すように爪２２ｂをベース部材２の係合孔５ｃに係合させ、ベース部材２に取り付けることにより、このカード支承部材２０が対向壁４，１０とともにカード搬送路１４を形成する。
【００１７】
次に、このように構成されたカード搬送装置１において、カードの搬送動作について説明する。図１に示すように、カード１３をカード挿入口１５からカード搬送路１４内に挿入すると、図示を省略したセンサによってカード１３が検知されることにより、図示を省略したモータが駆動され、駆動ローラ６が正方向に回転する。したがって、挿入されたカード１３の先端部が駆動ローラ６に対接すると、カード１３は幅方向が鉛直方向を指向した状態で、駆動ローラ６とピンチローラ１１とによって挟持されながら矢印Ａ方向へ搬送される。
【００１８】
カード１３が所定の位置まで搬送されると、図示を省略したセンサによって検知され、モータの駆動が停止することにより、カード１３の搬送も停止し、この停止位置でカード１３に記録されたデータが処理される。データの処理が終了すると、モータが逆方向に駆動され、駆動ローラ６が逆方向に回転することにより、カード１３が矢印Ｂ方向へ搬送され、カード挿入口１５から排出される。
【００１９】
このカード１３の矢印Ａ−Ｂ方向の搬送に当たっては、カード１３のカード面１３ａ，１３ａに対向する対向壁４，１０の対向面４ａ，１０ａおよびカード支承部材２０にカード搬送方向に延びるリブ４ｂ，１０ｂ，２１ａが設けられていることにより、カード面１３ａが対向面４，１０およびカード支承部材２０と面接触することなく、リブ４ｂ，１０ｂ，２１ａと線接触する。このため、搬送されるカード１３に対する摩擦力が低減されるため、カード１３が円滑に搬送される。
【００２０】
また、カード１３の幅方向の一方の端面１３ｂを支承しているカード支承部材２０のカード支承面２３に、カード１３の搬送方向に向かって連続する凸部２３ａと凹部２３ｂとが交互に設けられていることにより、カード１３の搬送中に、カード１３の端面１３ｂに付着している汚れが凸部２３ａによって掻き落とされたとしても、掻き落とされた汚れが凹部２３ｂ内に貯留されるため、凸部２３ａ上に堆積するようなことがない。
【００２１】
このため、堆積された汚れの粘性によって搬送されるカード１３に対する摩擦力が増大して搬送負荷が大きくなるようなことがないから、搬送不良を抑制することができる。また、凸部２３ａを断面半円状に形成したことにより、搬送されるカード１３の端面１３ｂと凸部２３ａとが線接触となるため、カード１３に対する搬送負荷がより軽減される。
【００２２】
ここで、カード支承部材２０のカード支承面２３の凸部２３ａ上にも汚れが堆積し始めたら、カード支承部材２０の係合片２２ａを弾性変形させ、爪２２ｂと係合孔５ｃとの係合を解除し、カード支承部材２０を図６中矢印Ｂ方向に移動させることにより、カード支承部材２０をベース部材２から取り外し、カード支承面２３に汚れが付着していない新たなカード支承部材２０と交換する。このように、カード支承面２３に堆積する汚れによるカード搬送不良を未然に防止することが可能になる。
【００２３】
なお、本実施例においては、カード搬送路１４中を搬送させるカード１３を幅方向が鉛直方向に指向するようにしたが、長さ方向が鉛直方向に指向するようにしてもよい。
【符号の説明】
【００２４】
１…カード搬送装置、２…ベース部材、３…カバー部材、４，１０…対向壁、４ｂ，１０ｂ…リブ、１３…カード、１３ａ…カード面、１３ｂ…端面、１４…カード搬送路、１５…カード挿入口、２０…カード支承部材、２３…カード支承面、２３ａ…凸部、２３ｂ…凹部。
【図１】
2011032005.tif 000003
【図２】
2011032005.tif 000004
【図３】
2011032005.tif 000005
【図４】
2011032005.tif 000006
【図５】
2011032005.tif 000007
【図６】
2011032005.tif 000008
【図７】
2011032005.tif 000009